(57)【要約】【課題】小型の装置で、簡単に、広い範囲をより明るく均一な強度の光で照明する。【解決手段】  照明装置１は、複数の赤外線LEDが組み込まれている照明パネル１１−１および照明パネル１１−２を備え、照明パネル１１−１の赤外線LEDは、照射する光の光軸と照明パネル１１−１の表面に対する法線６１−１とが一致するように、照明パネル１１−１に組み込まれ、照明パネル１１−２の赤外線LEDは、照射する光の光軸と照明パネル１１−２の表面に対する法線６１−２とが一致するように、照明パネル１１−２に組み込まれ、照明パネル１１−１および照明パネル１１−２は、法線６１−１と法線６１−２とが、照明パネル１１−１および照明パネル１１−２の赤外線LEDの光軸における光度に対して１/２の光度となる放射角に応じた角度６２となるように、接合される。本発明は、プロジェクタに適用することができる。【選択図】図２
2006071918.tif 000002
【特許請求の範囲】
【請求項１】
複数の第１の光源が組み込まれている第１のパネルと、
複数の第２の光源が組み込まれている第２のパネルと
を含み、
前記第１の光源は、照射する光の光軸と前記第１のパネルの表面に対する法線とが一致するように、前記第１のパネルに組み込まれ、
前記第２の光源は、光の照射について、前記第１の光源の特性と同じ特性であり、照射する光の光軸と前記第２のパネルの表面に対する法線とが一致するように、前記第２のパネルに組み込まれ、
前記第１のパネルおよび前記第２のパネルは、前記第１のパネルの表面に対する法線と前記第２のパネルの表面に対する法線とが、前記第１の光源および前記第２の光源の前記光軸における光度に対して１/２の光度となる放射角に応じた角度をなすように、接合されている
ことを特徴とする照明装置。
【請求項２】
前記第１のパネルの表面に対する法線と前記第２のパネルの表面に対する法線とがなす前記角度は、１０度乃至３０度である
ことを特徴とする請求項１に記載の照明装置。
【請求項３】
前記第１の光源および前記第２の光源は、赤外線である光を照射する赤外線LED（Light-Emitting Diode）である
ことを特徴とする請求項１に記載の照明装置。
【請求項４】
前記第１の光源および前記第２の光源は、７００乃至１０００ナノメートルの波長の光を照射する
ことを特徴とする請求項３に記載の照明装置。
【請求項５】
請求項１に記載の照明装置を備える
ことを特徴とする表示装置。
【請求項６】
光の照射について、互いに同じ特性の複数の第１の光源を、照射する光の光軸の方向が一致するように配置し、
光の照射について、前記第１の光源と同じ特性の複数の第２の光源を、照射する光の光軸の方向が一致するように配置し、
前記第１の光源から照射される光の光軸と、前記第２の光源から照射される光の光軸との角度を、前記第１の光源および前記第２の光源の前記光軸における光度に対して１/２の光度となる放射角に応じた角度とする
ことを特徴とする照明方法。
【請求項７】
照明装置の作成方法において、
複数の第１の光源が照射する光の光軸と第１のパネルの表面に対する法線とが一致するように、前記第１の光源を前記第１のパネルに組み込む第１の組み込みステップと、
光の照射について、前記第１の光源の特性と同じ特性である、複数の第２の光源が照射する光の光軸と第２のパネルの表面に対する法線とが一致するように、前記第２の光源を前記第２のパネルに組み込む第２の組み込みステップと、
前記第１のパネルの表面に対する法線と前記第２のパネルの表面に対する法線とが、前記第１の光源および前記第２の光源の前記光軸における光度に対して１/２の光度となる放射角に応じた角度をなすように、前記第１のパネルおよび前記第２のパネルを接合する接合ステップと
を含むことを特徴とする作成方法。
【発明の詳細な説明】
【技術分野】
【０００１】
本発明は、照明装置および方法、表示装置、並びに照明装置の作成方法に関し、特に、広い範囲を照明する共に、照明されている場所全体を均一の明るさにすることができるようにした照明装置および方法、表示装置、並びに照明装置の作成方法に関する。
【背景技術】
【０００２】
近年、レーザー（LASER（Light Amplification by Stimulated Emission of Radiation））を光源としたプロジェクタが開発されつつある。しかしながら、レーザーの光（光線）（以下、レーザー光と称する）を人間が直視してしまった場合、目（視力）に障害を生じる危険性がある。
【０００３】
このため、レーザー光が人間に照射される可能性がある場合、瞬時に人間を検出し、レーザーのパワーを低減するための安全装置が提案されている。
【０００４】
例えば、特許文献１には、プロジェクタが投射するレーザー光により画像が表示されるスクリーンの周りに監視領域を設け、監視領域に進入した鑑賞者（人間）をセンサにより検出し、鑑賞者が検出された場合、プロジェクタのレーザーのスイッチをオフにする技術が開示されている。
【０００５】
また、特許文献２には、スクリーン上に画像を表示させるためにプロジェクタが投射する光の投射領域の周りに、監視領域を設け、監視領域に対して赤外線などの検出波を照射し、その監視領域からの反射波を検出することで、監視領域に侵入したものを検出し、監視領域へ侵入したものの侵入状況や侵入の程度に応じて、スクリーンに投射される光の強度を低減することが開示されています。
【０００６】
レーザーを利用するプロジェクタの他にも、強い光を投射するプロジェクタとして、ランプを光源とした液晶プロジェクタが存在する。この液晶プロジェクタも、強い光を照射するため、プロジェクションレンズを覗くなどの行為は危険である。
【０００７】
以上のように、強い光を投射する種々のプロジェクタにおいては、上述したような安全装置が必要とされる。
【０００８】
強い光が人間に照射されるのを防ぐための方法としては、上述した特許文献１や特許文献２などに開示されている。光が投射されている領域の周りに監視領域を設け、光が投射されている領域に人間が到達するまえに、監視領域において、迅速に人間を検出する具体的な方法としては、例えば、監視領域において、赤外線パルスレーザーで、光が投射される（画像が表示されている）スクリーンまでの距離を測定し、測定した距離の変化を基に、強度の強い光が投射されている領域に侵入する侵入者（侵入物）を検出する方法が提案されている。
【０００９】
また、スクリーンの端部をラインセンサカメラで監視し、端部の光の変化を基に、侵入者（侵入物）を検出する方法が提案されている。
【００１０】
さらに、スクリーンを囲む領域（監視領域）を監視し、その領域を２次元CCD（Charge Coupled Devices）カメラで画像として取り込み、画像処理によって、取り込んだ画像のフレーム間の差分などを基に、動きを検出し、動きのある侵入者（侵入物）を検出する方法が提案されている。
【特許文献１】特表平１１‐５０１４１９号公報
【特許文献２】特開２００４‐７０２９８号公報
【発明の開示】
【発明が解決しようとする課題】
【００１１】
特許文献１および特許文献２に記載の技術、並びに提案されている検出方法の多くは、人間を検出するために、光が投射される領域または光の投射される領域の周りの領域に対して、強力な赤外線を照射する照明を必要とする。
【００１２】
また、監視領域において、侵入者や侵入物をより確実に検出するためには、監視領域全体をむらなく均一の強度の光（赤外線）で、できるだけ明るく照明する必要がある。
【００１３】
例えば、レーザー光などの強度の強い光を投射する大型プロジェクタにおいては、プロジェクタからスクリーンまでの距離は３０ｍ乃至４０ｍとされ、この大型プロジェクタが、光を投射し、画像を表示させるスクリーンの大きさは、７００インチ（横１６ｍ×縦７ｍ）とされる。
【００１４】
このとき、７００インチのスクリーンまたはそのスクリーンより大きい範囲を赤外線照明することが必要とされるが、１台で、７００インチまたはそれ以上の広大な範囲を赤外線で照明することができる赤外線照明装置は存在しない。
【００１５】
赤外線照明装置としては、ハロゲンランプに可視光カットフィルタを設けた装置が存在する。しかしながら、この装置は、大型で発熱量が大きいため、映画館などにおいて、７００インチものスクリーンまたはそれ以上の広さを長時間照明することは実用性に乏しい。
【００１６】
一方、赤外線LED（Light Emitting Diode）においては、光の強度の強い製品が開発されつつあるが、現在の赤外線LED１個ではパワーが小さく、複数個並べることで使用しなければならない。また、そのような赤外線照明装置が販売されている。しかしながら、数多くの赤外線LEDを並べることで照明装置を製作する場合、赤外線LEDを並べる調整が難しいという課題があった。
【００１７】
また、以上のような装置は、遠くを照明することができるように、光が中心に集まるように設計されている。このため、７００インチまたはそれ以上の広い範囲を均一な強度の光で照明するには、不向きであるという課題があった。
【００１８】
さらに、現存するハロゲンランプを光源とする赤外線照明装置、赤外線LED、および赤外線LEDモジュールを利用し、広大なスクリーンを照明する照明装置を製作しようとする場合、装置が大型化してしまうという課題があった。
【００１９】
本発明は、このような状況に鑑みてなされたものであり、小型の装置で、簡単に、広い範囲をより明るく均一な強度の光で照明することができるようにするものである。
【課題を解決するための手段】
【００２０】
本発明の照明装置は、複数の第１の光源が組み込まれている第１のパネルと、複数の第２の光源が組み込まれている第２のパネルとを含み、第１の光源は、照射する光の光軸と第１のパネルの表面に対する法線とが一致するように、第１のパネルに組み込まれ、第２の光源は、光の照射について、第１の光源の特性と同じ特性であり、照射する光の光軸と第２のパネルの表面に対する法線とが一致するように、第２のパネルに組み込まれ、第１のパネルおよび第２のパネルは、第１のパネルの表面に対する法線と第２のパネルの表面に対する法線とが、第１の光源および第２の光源の光軸における光度に対して１/２の光度となる放射角に応じた角度をなすように、接合されていることを特徴とする。
【００２１】
第１のパネルの表面に対する法線と第２のパネルの表面に対する法線とがなす角度は、１０度乃至３０度であるようにすることができる。
【００２２】
第１の光源および第２の光源は、赤外線である光を照射する赤外線LED（Light-Emitting Diode）であるようにすることができる。
【００２３】
第１の光源および第２の光源は、７００乃至１０００ナノメートルの波長の光を照射するようにすることができる。
【００２４】
本発明の表示装置は、請求項１に記載の照明装置を備えることを特徴とする。
【００２５】
本発明の照明方法は、光の照射について、互いに同じ特性の複数の第１の光源を、照射する光の光軸の方向が一致するように配置し、光の照射について、第１の光源と同じ特性の複数の第２の光源を、照射する光の光軸の方向が一致するように配置し、第１の光源から照射される光の光軸と、第２の光源から照射される光の光軸との角度を、第１の光源および第２の光源の光軸における光度に対して１/２の光度となる放射角に応じた角度とすることを特徴とする。
【００２６】
本発明の作成方法は、複数の第１の光源が照射する光の光軸と第１のパネルの表面に対する法線とが一致するように、第１の光源を第１のパネルに組み込む第１の組み込みステップと、光の照射について、第１の光源の特性と同じ特性である、複数の第２の光源が照射する光の光軸と第２のパネルの表面に対する法線とが一致するように、第２の光源を第２のパネルに組み込む第２の組み込みステップと、第１のパネルの表面に対する法線と第２のパネルの表面に対する法線とが、第１の光源および第２の光源の光軸における光度に対して１/２の光度となる放射角に応じた角度をなすように、第１のパネルおよび第２のパネルを接合する接合ステップとを含むことを特徴とする。
【００２７】
本発明においては、光の照射について、互いに同じ特性の複数の第１の光源が、照射する光の光軸の方向が一致するように配置され、光の照射について、第１の光源と同じ特性の複数の第２の光源が、照射する光の光軸の方向が一致するように配置され、第１の光源から照射される光の光軸と、第２の光源から照射される光の光軸との角度が、第１の光源および第２の光源の光軸における光度に対して１/２の光度となる放射角に応じた角度とされる。
【発明の効果】
【００２８】
本発明によれば、広い範囲を照明することができる。また、本発明によれば、小型の装置で、簡単に、広い範囲をより明るく均一な強度の光で照明することができる。
【発明を実施するための最良の形態】
【００２９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００３０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３１】
請求項１に記載の照明装置（例えば、図１の照明装置１）は、複数の第１の光源（例えば、図１の赤外線LED３１）が組み込まれている第１のパネル（例えば、図１の照明パネル１１−１）と、複数の第２の光源（例えば、図１の赤外線LED３１）が組み込まれている第２のパネル（例えば、図１の照明パネル１１−１）とを含み、第１の光源は、照射する光の光軸と第１のパネルの表面に対する法線（例えば、図２の法線６１−１）とが一致するように、第１のパネルに組み込まれ、第２の光源は、光の照射について、第１の光源の特性と同じ特性であり、照射する光の光軸と第２のパネルの表面に対する法線（例えば、図２の法線６１−２）とが一致するように、第２のパネルに組み込まれ、第１のパネルおよび第２のパネルは、第１のパネルの表面に対する法線と第２のパネルの表面に対する法線とが、第１の光源および第２の光源の光軸における光度に対して１/２の光度となる放射角に応じた角度（例えば、図２の角度６２）をなすように、接合されていることを特徴とする。
【００３２】
請求項３に記載の照明装置は、第１の光源および第２の光源は、赤外線である光を照射する赤外線LED（Light-Emitting Diode）（例えば、図１の赤外線LED３１）であるようにすることができる。
【００３３】
請求項６に記載の照明方法は、光の照射について、互いに同じ特性の複数の第１の光源（例えば、図１の赤外線LED３１）を、照射する光の光軸の方向が一致するように配置し、光の照射について、第１の光源と同じ特性の複数の第２の光源（例えば、図１の赤外線LED３１）を、照射する光の光軸の方向が一致するように配置し、第１の光源から照射される光の光軸と、第２の光源から照射される光の光軸との角度（例えば、図２の角度６２）を、第１の光源および第２の光源の光軸における光度に対して１/２の光度となる放射角に応じた角度とすることを特徴とする。
【００３４】
請求項７に記載の作成方法は、照明装置（例えば、図１の照明装置１）の作成方法であって、複数の第１の光源（例えば、図１の赤外線LED３１）が照射する光の光軸と第１のパネル（例えば、図１の照明パネル１１−１）の表面に対する法線（例えば、図２の法線６１−１）とが一致するように、第１の光源を第１のパネルに組み込む第１の組み込みステップ（例えば、図１８のステップＳ１の処理）と、光の照射について、第１の光源の特性と同じ特性である、複数の第２の光源（例えば、図１の赤外線LED３１）が照射する光の光軸と第２のパネル（例えば、図１の照明パネル１１−２）の表面に対する法線（例えば、図２の法線６１−２）とが一致するように、第２の光源を第２のパネルに組み込む第２の組み込みステップ（例えば、図１８のステップＳ２の処理）と、第１のパネルの表面に対する法線と第２のパネルの表面に対する法線とが、第１の光源および第２の光源の光軸における光度に対して１/２の光度となる放射角に応じた角度（例えば、図２の角度６２）をなすように、第１のパネルおよび第２のパネルを接合する接合ステップ（例えば、図１８のステップＳ３の処理）とを含むことを特徴とする。
【００３５】
以下に、本発明の実施の形態について図面を参照して説明する。
【００３６】
図１は、本発明に係る照明装置１の一実施の形態を示す斜視図である。図１で示されるように、照明装置１は、照明パネル１１−１および照明パネル１１−２により構成される。照明パネル１１−１および照明パネル１１−２は、後述する赤外線LEDが設けられている面が所定の角度２１を成すように、接合されている。また、照明パネル１１−１および照明パネル１１−２は、蝶番などにより、その接合部分を軸として、角度２１を自由に変えることができるように、回動自在に接合することができる。
【００３７】
照明パネル１１−１は、例えば、縦８０ｍｍ（ミリメートル）、横１００ｍｍの長方形のパネルである。照明パネル１１−１には、例えば、１０行１０列で、合計１００個の赤外線LED３１−１−１乃至３１−１０−１０が設けられている。
【００３８】
赤外線LED３１−１−１乃至３１−１０−１０のそれぞれは、赤外線である光を照射する。
【００３９】
このとき、例えば、赤外線LED３１−１−１乃至３１−１０−１０のそれぞれにおいては、隣り合う赤外線LEDとのピッチが７ｍｍとされる。例えば、赤外線LED３１−１−１の中心から、横に隣り合う赤外線LED３１−１−２の中心までの距離が７ｍｍとされ、赤外線LED３１−１−１の中心から、縦に隣り合う赤外線LED３１−２−１の中心までの距離が７ｍｍとされる。すなわち、赤外線LED３１−１−１乃至３１−１０−１０のそれぞれの中心から、これに横に隣り合う赤外線LED３１−１−１乃至３１−１０−１０のいずれかの中心までの距離が７ｍｍとされ、赤外線LED３１−１−１乃至３１−１０−１０のそれぞれの中心から、これに縦に隣り合う赤外線LED３１−１−１乃至３１−１０−１０のいずれかの中心までの距離が７ｍｍとされる。
【００４０】
また、赤外線LED３１−１−１乃至３１−１０−１０のそれぞれは、赤外線LED３１−１−１乃至３１−１０−１０のそれぞれが照射する光の光軸が照明パネル１１−１の法線と一致するように、照明パネル１１−１に垂直に組み込まれる。
【００４１】
赤外線LED３１−１−１乃至３１−１０−１０のそれぞれの指向特性は、例えば、２０度とされる。ここで、指向特性とは、赤外線LEDが発光（照射）する光の広がりの角度であって、光の強度がピーク値の５０％のときの角度を示す。換言すれば、例えば、赤外線LED３１−１−１乃至３１−１０−１０のそれぞれにおいて、照射する光軸上の光度（放射強度）が最大となり、光軸に対して２０度の放射角における光度が最大の光度の１/２となる。
【００４２】
また、赤外線LED３１−１−１乃至３１−１０−１０のそれぞれが照射（放射）する光の強度（放射束）は、例えば、１０ｍＷ（ミリワット）とされる。さらに、赤外線LED３１−１−１乃至３１−１０−１０は、例えば、７００乃至１０００ナノメートルの波長の光を照射する。
【００４３】
以上のように、１００個の赤外線LED３１−１−１乃至３１−１０−１０のそれぞれにおいて、照射する光の強度が１０ｍＷ（ミリワット）であり、指向特性が２０度である場合、照明パネル１１−１の総ての赤外線LED３１−１−１乃至３１−１０−１０の照射する光の強度は１Ｗとなり、照明パネル１１−１の指向特性は２０度となる。
【００４４】
以下、赤外線LED３１−１−１乃至３１−１０−１０を個々に区別する必要のないとき、単に赤外線LED３１と称する。
【００４５】
なお、照明パネル１１−１の光源は、赤外線LED３１に限らず、赤外線を照射することができれば足り、赤外線を照射可能な各種レーザーなどにしてもよい。
【００４６】
照明パネル１１−２は、照明パネル１１−１と同様に構成されているため、その説明は繰り返しとなるので省略する。また、赤外線LED３１を、照明パネル１１−２に組み込まれている赤外線LEDとして、適宜、引用する。
【００４７】
以下、照明パネル１１−１および照明パネル１１−２を個々に区別する必要がないとき、単に照明パネル１１と称する。
【００４８】
図２は、照明装置１および照明装置１が光（赤外線）を照射（放射）するスクリーン５１の上面図である。ここで、照明装置１からスクリーン５１までの距離は、例えば、３０ｍとし、スクリーン５１の大きさは、７００インチ（縦７ｍ×横１６ｍ）とする。
【００４９】
照明装置１において、照明パネル１１−１の表面（赤外線LED３１が組み込まれている面）に対する法線６１−１および照明パネル１１−２の表面に対する法線６１−２によって形成される角度６２は、例えば、２０度とされる。このとき、照明パネル１１−１および照明パネル１１−２が成す角度２１は１６０度である。
【００５０】
上述したように、照明パネル１１における、赤外線LED３１の指向特性が２０度である場合、照明装置１がスクリーン５１を照明するために照射する光（赤外線）７１の横方向の半値角は、すなわち、図２で示される光７１の横方向の広がりの角度７２は４０度である。ここで、半値角とは、最大の光度（放射強度）に対して１/２の光度となる、照明装置１の中心とスクリーン５１の中心とを結ぶ線を基準とした角度である。
【００５１】
以下、法線６１−１および法線６１−２を個々に区別する必要がないとき、単に法線６１と称する。
【００５２】
図３は、照明装置１および照明装置１が光（赤外線）を照射（投射）するスクリーン５１の側面図である。照明パネル１１における、赤外線LED３１の指向特性が２０度である場合、照明装置１がスクリーン５１を照明するために照射する光７１の縦方向の半値角は、すなわち、図３で示される光７１の縦方向の広がりの角度７３は２０度である。
【００５３】
次に、図４乃至図１５を参照して、照明装置１が照射する光（赤外線）による、スクリーン５１上およびスクリーン５１の周囲の光（赤外線）の強度（照度）と、照明パネル１１−１の法線６１−１および照明パネル１１−２の法線６１−２により形成される角度６２との関係を説明する。
【００５４】
ここで、視角について説明する。図４で示されるように、CCD８２の画素数を基に被写体９１に対する視角１００を考える。図４で示されるように、レンズ８１およびCCD８２を含む、CCDカメラは被写体９１を撮影する（被写体９１の画像（光）を、レンズ８１を介しCCD８２に結像させる）。視角１００は、レンズ８１上の光軸および被写体９１の一端を結ぶ線と、レンズ８１上の光軸および被写体９１の他の一端を結ぶ線とがなす角度である。
【００５５】
このとき、被写体９１の直径を“ａ”とし、結像された被写体９１のCCD８２上の画素数を“ｂ”とし、被写体９１から図示せぬCCDカメラまでの距離、すなわち、被写体９１からレンズ８１までの距離１１１を“ｃ”とする場合、視角１００は、次の式（１）で表される。
【００５６】
視角１００＝ｔａｎ-1（ａ/ｃ）＝ｋ×ｂ                              ・・・（１）
【００５７】
ここで、“ｋ”は係数である。被写体９１に対する視角１００を測定するための係数“ｋ”は、次の式（２）で表される。
【００５８】
ｋ＝１/ｂ×ｔａｎ-1（ａ/ｃ）                                        ・・・（２）
【００５９】
被写体９１に対して、“ｃ”の距離１１１で、式（１）を用いて視角１００を算出し、予め式（２）を用いて係数“ｋ”を算出しておくことにより、被写体９１からレンズ８１までの距離１１１を変えたとしても、再度、変えた距離１１１を測定することなく、距離１１１を変えた後の被写体９１に対する視角１００を算出することができる。CCD８２に結像された被写体９１の新たな画像の画素数が“ｂ´”である場合、新たな視角１００は、次の式（３）で表される。
【００６０】
視角１００＝ｋ×ｂ´                                                ・・・（３）
【００６１】
また、レンズ８１の焦点距離１１２が“ｆ”であり、CCD８２の画素のピッチが“ｄ”である場合、視角１００は、次の式（４）で表される。
【００６２】
視角１００＝ｔａｎ-1（ｄ×ｂ/ｆ）                                  ・・・（４）
【００６３】
以下、図５、図７、図９、図１１、および図１３のそれぞれは、図４を参照して上述した視角１００の算出方法を用いて、種々の角度６２に対する、CCD８２に結像される画像の照度を画素毎（または、縦横それぞれ所定の数の画素からなる画素のブロック毎）に求めた結果を示す。すなわち、図５、図７、図９、図１１、および図１３のそれぞれは、スクリーン５１およびスクリーン５１の周囲を含む所定の領域に照射された光（赤外線）を被写体９１とした場合に、CCD８２によって撮影される画像を示す。換言すれば、図５、図７、図９、図１１、および図１３のそれぞれは、それぞれの角度６２と、照明装置１が照射する光（赤外線）によって照明されたスクリーン５１の周囲の光の強度（照度）との関係を示すと言える。なお、光（赤外線）の強度（照度）は、スクリーン５１およびその周囲の単位面積あたりの仕事率、すなわち、“μＷ/ｃｍ2”を単位として示す。
【００６４】
なお、図５、図７、図９、図１１、および図１３において、１つの四角は、CCD８２の１つの画素（または、画素のブロック）を示すとともに、その画素（または、画素のブロック）により撮影される３０ｍ先のスクリーン５１およびその周囲の領域を示し、縦（縦軸）および横（横軸）に付されている１乃至４１の数値は、CCD８２の個々の画素（または、画素のブロック）の位置を示すとともに、およびCCD８２の１つの画素（または、１つのブロック）によって撮影されるスクリーン５１およびその周囲の領域の位置を示す。
【００６５】
以下、CCD８２の１つの画素（または、１つのブロック）によって撮影される、スクリーン５１およびその周囲の領域の縦または横の長さを、長さの単位として、距離１と称する。例えば、CCD８２の縦または横列に並ぶｎ個の画素（またはブロック）によって撮影される、スクリーン５１およびその周辺領域の縦または横の長さを距離ｎという。
【００６６】
図６、図８、図１０、図１２、および図１４のそれぞれは、図５、図７、図９、図１１、および図１３のそれぞれに対応し、スクリーン５１の中心を０とした場合の中心からの横方向の距離に対する照明装置１が照射する光によって照明されたスクリーン５１およびその周囲の光の強度の変化を説明する図である。
【００６７】
ここで、スクリーン５１の中心は、図５、図７、図９、図１１、および図１３における縦が２１、横が２１の位置である。
【００６８】
また、図６、図８、図１０、図１２、および図１４において、縦軸は、光（赤外線）の強度（照度）（μＷ/ｃｍ2）を表し、横軸は、スクリーン５１の中心からの左右への距離を表している。
【００６９】
図５は、角度６２が０度の場合における、スクリーン５１およびスクリーン５１の周囲の光（赤外線）の強度（照度）を表している。図５で示されるように、角度６２が０度、すなわち、角度２１が１８０度である場合、スクリーン５１およびスクリーン５１の周囲には、光の強度が０乃至０．６（μＷ/ｃｍ2）の領域ができる。
【００７０】
スクリーン５１の中心からの距離が１０．５以内の領域（その中心がスクリーン５１の中心と一致し、半径が距離１０．５である円の領域）の光の強度は、０．４乃至０．６（μＷ/ｃｍ2）である。
【００７１】
スクリーン５１の中心から距離が１０．５を越え、１８．５以内の領域（その中心がスクリーン５１の中心と一致し、半径が距離１０．５乃至１８．５であるドーナッツ状の領域）の光の強度は、０．２乃至０．４（μＷ/ｃｍ2）である。
【００７２】
スクリーン５１の中心から距離が１８．５を越える他の領域の光の強度は、０乃至０．２（μＷ/ｃｍ2）である。
【００７３】
図６は、図５における縦が２１の位置の光の強度の変化を表している。図６で示される実線（曲線）は、図５における縦が２１の位置の光の強度を示す。なお、スクリーン５１の領域は、図６の横軸で示される−１５乃至１５の領域である。
【００７４】
図６で示される光の強度の値は、横軸の０の位置（スクリーン５１の中心）を光の強度のピークとして、左右に離れるにしたがって、左右対称に減少している。図６で示される横軸の、−５乃至０の領域および０乃至５の領域の光の強度は０．５乃至０．６（μＷ/ｃｍ2）内のいずれかの値をとり、−１０乃至−５の領域および５乃至１０の領域の光の強度は０．４乃至０．６（μＷ/ｃｍ2）内のいずれかの値をとり、−１５乃至−１０の領域および１０乃至１５の領域の光の強度は０．２乃至０．４（μＷ/ｃｍ2）内のいずれかの値とり、−１５乃至−２０の領域および１５乃至２０の領域の光の強度は、０．１乃至０．３（μＷ/ｃｍ2）内のいずれかの値をとる。
【００７５】
図５および図６で示されるように、角度６２が０度である場合、中心、すなわち、図５で示される縦および横の２１の位置から左右または上下に離れるにしたがって（図６で示される横軸の０の位置から左右に離れるにしたがって）、光の強度は弱くなる。また、図６で示されるように、角度６２が０度である場合、スクリーン５１およびスクリーン５１の周囲においては、例えば、距離が５毎の単位幅（長さ）辺りの光の強度の差（格差）が大きい。すなわち、角度６２が０度の場合、照明されているスクリーン５１およびスクリーン５１の周囲の光の強度は、単位幅あたりの格差が大きく均一にはならない。
【００７６】
図７は、角度６２が１０度の場合における、スクリーン５１およびスクリーン５１の周囲の光（赤外線）の強度（照度）を表している。図７で示されるように、角度６２が１０度、すなわち、角度２１が１７０度である場合、スクリーン５１およびスクリーン５１の周囲には、光の強度が０乃至０．６（μＷ/ｃｍ2）の領域ができる。
【００７７】
スクリーン５１の中心からの横の距離が１０以内であり、縦の距離が９以内である領域（その中心がスクリーン５１の中心と一致し、横の距離（半径）が１０であり、縦の距離（半径）が９である楕円の領域）の光の強度は、０．４乃至０．６（μＷ/ｃｍ2）である。
【００７８】
スクリーン５１の中心から横の距離が１０を越え、１９以内であり、縦の距離が９を越え、１８以内である領域（その中心がスクリーン５１の中心と一致し、横の距離が１０乃至１９であり、縦の距離が９乃至１８であるドーナッツ状の楕円の領域）の光の強度は、０．２乃至０．４（μＷ/ｃｍ2）である。
【００７９】
スクリーン５１の中心から横の距離が１９を越え、縦の距離が１８を越える他の領域の光の強度は、０乃至０．２（μＷ/ｃｍ2）である。
【００８０】
図８は、図７における縦が２１の位置の光の強度の変化を表している。図８で示される実線（曲線）は、図７における縦が２１の位置の光の強度を示す。なお、スクリーン５１の領域は、図８の横軸で示される−１５乃至１５の領域である。
【００８１】
図８で示される光の強度の値は、横軸の０の位置（スクリーン５１の中心）を光の強度のピークとして、左右に離れるにしたがって、左右対称に減少している。図８で示される横軸の、−１０乃至０の領域および０乃至１０の領域の光の強度は０．４乃至０．６（μＷ/ｃｍ2）内のいずれかの値をとり、−１５乃至−１０の領域および１０乃至１５の領域の光の強度は０．２乃至０．４（μＷ/ｃｍ2）内のいずれかの値をとり、−２０乃至−１５の領域および１５乃至２０の領域の光の強度は０．１乃至０．３（μＷ/ｃｍ2）内のいずれかの値をとる。
【００８２】
図７および図８で示されるように、角度６２が１０度である場合、中心、すなわち、図７で示される縦および横の２１の位置から左右または上下に離れるにしたがって（図８で示される横軸の０の位置から左右に離れるにしたがって）、光の強度は弱くなる。また、図８で示されるように、角度６２が１０度である場合、スクリーン５１およびスクリーン５１の周囲においては、例えば、距離が５毎の単位幅（長さ）辺りの光の強度の差（格差）が、角度６２が０度である場合より、小さくなっている。すなわち、角度６２が１０度の場合、照明されているスクリーン５１およびスクリーン５１の周囲の光の強度は、単位幅あたりの格差が小さく、均一になっている。
【００８３】
図９は、角度６２が２０度の場合における、スクリーン５１およびスクリーン５１の周囲の光（赤外線）の強度（照度）を表している。図９で示されるように、角度６２が２０度、すなわち、角度２１が１６０度である場合、スクリーン５１およびスクリーン５１の周囲には、光の強度が０乃至０．４（μＷ/ｃｍ2）の領域ができる。
【００８４】
スクリーン５１の中心からの横の距離が１５以内であり、縦の距離が１０以内である領域（その中心がスクリーン５１の中心と一致し、横の距離（半径）が１５であり、縦の距離（半径）が１０である楕円の領域）の光の強度は、０．３乃至０．４（μＷ/ｃｍ2）である。
【００８５】
スクリーン５１の中心から横の距離が１５を越える領域であり、縦の距離が１０を越え、１５以内である領域（その中心がスクリーン５１の中心と一致し、横の距離が１０を越え、縦の距離が１０乃至１５であるドーナッツ状の楕円の領域）の光の強度は、０．２乃至０．３（μＷ/ｃｍ2）である。
【００８６】
スクリーン５１の中心から縦の距離が１５を越える領域の光の強度は、０．１乃至０．２（μＷ/ｃｍ2）であり、そのさらにそれを超える外側の領域は０乃至０．１（μＷ/ｃｍ2）である。図９からわかるように、角度６２を２０度とした場合、他の場合に比較し、スクリーン５１の外線の周囲の領域の光の強度は、均一で、かつ大きい。
【００８７】
図１０は、図９における縦が２１の位置の光の強度の変化を表している。図１０で示される実線（曲線）は、図９における縦が２１の位置の光の強度を示す。なお、スクリーン５１の領域は、図１０の横軸で示される−１５乃至１５の領域である。
【００８８】
図１０で示される光の強度の値は、横軸の０の位置（スクリーン５１の中心）を光の強度のピークとして、左右に離れるにしたがって、左右対称に減少している。図１０で示される横軸の、−１０乃至０の領域および０乃至１０の領域の光の強度は０．３５乃至０．４（μＷ/ｃｍ2）内のいずれかの値をとり、−１５乃至−１０の領域および１０乃至１５の領域の光の強度は０．４乃至０．３（μＷ/ｃｍ2）内のいずれかの値をとり、−２０乃至−１５の領域および１５乃至２０の領域の光の強度は０．２乃至０．３（μＷ/ｃｍ2）内のいずれかの値をとる。
【００８９】
図９および図１０で示されるように、角度６２が２０度である場合、中心、すなわち、図９で示される縦および横の２１の位置から左右または上下に離れるにしたがって（図１０で示される横軸の０の位置から左右に離れるにしたがって）、光の強度は弱くなる。また、図１０で示されるように、角度６２が２０度である場合、スクリーン５１およびスクリーン５１の周囲においては、例えば、距離が５毎の単位幅（長さ）辺りの光の強度の差（格差）が、角度６２が１０度である場合より、さらに小さくなっている。すなわち、角度６２が２０度の場合、照明されているスクリーン５１およびスクリーン５１の周囲の光の強度は、単位幅あたりの格差がより小さく、均一になっている。
【００９０】
図１１は、角度６２が３０度の場合における、スクリーン５１およびスクリーン５１の周囲の光（赤外線）の強度（照度）を表している。図１１で示されるように、角度６２が３０度、すなわち、角度２１が１５０度である場合、スクリーン５１およびスクリーン５１の周囲には、光の強度が０乃至０．３（μＷ/ｃｍ2）の領域ができる。
【００９１】
スクリーン５１の中心からの縦の距離が１０以内である領域（その中心がスクリーン５１の中心と一致し、縦の距離が１０である帯状の領域）の光の強度は、０．２乃至０．３（μＷ/ｃｍ2）である。
【００９２】
スクリーン５１の中心から縦の距離が１０を越え、１８以内である領域（縦の距離が１０乃至１８であり帯状の領域）の光の強度は、０．１乃至０．２（μＷ/ｃｍ2）である。
【００９３】
スクリーン５１の中心から縦の距離が１８を越える他の領域の光の強度は、０乃至０．１（μＷ/ｃｍ2）である。
【００９４】
図１２は、図１１における縦が２１の位置の光の強度の変化を表している。図１２で示される実線（曲線）は、図１１における縦が２１の位置の光の強度を示す。なお、スクリーン５１の領域は、図１２の横軸で示される−１５乃至１５の領域である。
【００９５】
図１２で示される光の強度の値は、横軸の０の位置（スクリーン５１の中心）の光の強度が１番弱く、左右に離れるにしたがって、左右対称に増加し、横軸の−１５または１５の近傍の位置を光の強度のピークとして、−１５の位置より左に行くにしたがって減少し、また、１５の位置より右にいくに従って減少している。図１２で示される横軸の、−２０乃至０の領域および０乃至２０の領域の光の強度は０．２５乃至０．３（μＷ/ｃｍ2）内のいずれかの値をとる。
【００９６】
図１１および図１２で示されるように、角度６２が３０度である場合、中心、すなわち、図１１で示される縦の２１の位置の左右の領域（図１２で示される横軸の０の位置の左右の領域）および横の２１の位置の上下の領域の光の強度は、均一になる。しかしながら、角度６２が３０度の場合の光の強度と、角度６２が１０度または２０度の場合と光の強度とを比べてみると、光の強度の値が少し小さくなっている。
【００９７】
図１３は、角度６２が４０度の場合における、スクリーン５１およびスクリーン５１の周囲の光（赤外線）の強度（照度）を表している。図１３で示されるように、角度６２が４０度、すなわち、角度２１が１４０度である場合、スクリーン５１およびスクリーン５１の周囲には、光の強度が０乃至０．３（μＷ/ｃｍ2）の領域ができる。
【００９８】
図１３における、横が４１で縦が２１の位置からの距離が１０．５以内の領域（横が４１で縦が２１の位置を中心とし、半径が距離１０．５である半円の領域）および横が１で縦が２１の位置からの距離が１０．５以内の領域（横が１で縦が２１の位置を中心とし、半径が距離１０．５である半円の領域）の光の強度は、０．２乃至０．３（μＷ/ｃｍ2）である。
【００９９】
上述した光の強度が０．２乃至０．３（μＷ/ｃｍ2）の領域を除いた、スクリーン５１内の領域の光の強度は０．１乃至０．２（μＷ/ｃｍ2）である。
【０１００】
スクリーン５１の中心からの縦の距離が１１を越える領域の光の強度は、０．１乃至０．２（μＷ/ｃｍ2）である。また、スクリーン５１の中心からの縦の距離が１１．５を越える領域の光の強度は、０乃至０．１（μＷ/ｃｍ2）である。
【０１０１】
図１４は、図１３における縦が２１の位置の光の強度の変化を表している。図１４で示される実線（曲線）は、図１３における縦が２１の位置の光の強度を示す。なお、スクリーン５１の領域は、図１４の横軸で示される−１５乃至１５の領域である。
【０１０２】
図１４で示される光の強度の値は、横軸の０の位置（スクリーン５１の中心）の光の強度が１番弱く、左右に離れるにしたがって、左右対称に増加している。図１４で示される横軸の、−１０乃至０の領域および０乃至１０の領域の光の強度は０．１乃至０．２（μＷ/ｃｍ2）内のいずれかの値をとり、−２０乃至−１０の領域および１０乃至２０の領域の光の強度は０．２乃至０．３（μＷ/ｃｍ2）内のいずれかの値をとる。
【０１０３】
図１３および図１４で示されるように、角度６２が４０度である場合、スクリーン５１およびスクリーン５１の周囲においては、中心、すなわち、図１３で示される縦および横の２１の位置の左右または上下の領域（図１４で示される横軸の０の位置の左右の領域）の光の強度は、その領域の場所によって差（格差）があり、均一にはならない。
【０１０４】
以上のように、角度６２は、１０度乃至３０度の場合、特に２０度の場合に、スクリーン５１およびスクリーン５１の周囲は、より明るく、均一な光の強度で照明される。
【０１０５】
図１５は、角度６２が０度乃至４０度である場合における、スクリーン５１の左上の角および左端中央の光の強度の変化を表している。図１５中の実線は、スクリーン５１の左上の角の光の強度の変化を示し、破線は、スクリーン５１の左端であって、縦方向に中央の光の強度の変化を示す。
【０１０６】
図１５で示されるように、スクリーン５１の左上の角においては、光の強度が０．２５乃至０．３（μＷ/ｃｍ2）において、角度６２が２０度の場合の光の強度をピークとして角度６２が２０度から０度になるにしたがって、すなわち、角度６２の角度が小さくなるにしたがって、光の強度が下がり、また、角度６２が２０度から４０度になるにしたがって、すなわち、角度６２の角度が大きくなるにしたがって、光の強度が下がっている。
【０１０７】
さらに、スクリーン５１の左端であって、縦方向の中央においては、光の強度が０．１５乃至０．２５（μＷ/ｃｍ2）において、角度６２が２０度の場合の光の強度をピークとして角度６２が２０度から０度になるにしたがって、すなわち、角度６２の角度が小さくなるにしたがって、光の強度が下がり、また、角度６２が２０度から４０度になるにしたがって、すなわち、角度６２の角度が大きくなるにしたがって、光の強度が下がっている。
【０１０８】
以上のように、照明装置１は、角度６２は１０度乃至３０度、すなわち、角度２１は１７０度乃至１５０度である場合に、スクリーン５１の周囲を、より明るく（より強い強度の光で）、均一に照明することができる。
【０１０９】
図１６を参照して、照明装置１における照明パネル１１−１および照明パネル１１−２により形成される角度２１とスクリーン５１との距離の関係を説明する。角度２１は、１８０度より大きくすることで、スクリーン５１との距離１２１を調節して光（赤外線）を照射することができる。
【０１１０】
例えば、照明装置１とスクリーン５１との距離１２１が近い場合、すなわち、スクリーン５１の大きさが小さい場合、照明パネル１１−１および照明パネル１１−２により形成される角度２１を１８０度より大きくすることで、スクリーン５１およびスクリーン５１の周囲の光の強度（照度）を、より明るく均一になるように、照明装置１は光を照射することができる。
【０１１１】
以上のように、照明パネル１１−１および照明パネル１１−２が成す角度２１を変化させた場合、２枚の照明パネル１１が光を照射する、スクリーン５１およびその周囲の光の強度を変化させることができる。また、例えば、照明装置１を備えるプロジェクタのズームレンズ機能に応じて、狭い範囲に赤外線照明を集中させたい場合、角度２１の大きさを大きくすればよい。
【０１１２】
プロジェクタのズームをワイドにする場合、角度２１の大きさを狭めると、スクリーン５１上の照度（光の強度）は減少するが、より広い範囲を照明することができる。また、照明装置１とスクリーン５１との距離が近い場合に、プロジェクタのズームをワイドするときは、照明装置１により赤外線照明される範囲はあまり変化しない。したがって、スクリーン５１およびその周囲においては、均一な照度を得ることができる。
【０１１３】
このように、プロジェクタが画像を表示させるために投射する光が介する、投射レンズのズーム機能と相性のよい、照明装置１を提供することができる。
【０１１４】
また、上述したように、照明パネル１１に組み込まれる赤外線LED３１の指向特性、並びに照明パネル１１−１の法線６１−１および照明パネル１１−２の法線６１−２によって形成される角度６２は、２０度である必要はなく、１０乃至３０度の範囲において照明パネル１１−１および照明パネル１１−２を組みあせても良い。
【０１１５】
例えば、指向特性が１５度の赤外線LED３１を用いることで、指向特性が１５度の照明パネル１１ができる。この場合、照明パネル１１−１に対する法線６１−１および照明パネル１１−２に対する法線６１−２によって形成される角度６２を１５度とするとき、図２で示される角度７２が３０度で、図３で示される角度７３が１５度である照明装置１ができる。このようにすることは、照明装置１を備えるプロジェクタにおいて望遠レンズを使用する場合などに有効である。
【０１１６】
照明装置１は、スクリーン５１に画像を表示させる光を投射するプロジェクタなどに設けるようにすることができる。これにより、強度の強い光をスクリーン５１に投射するプロジェクタの光源を制御する装置において、スクリーン５１を照明するための赤外線LEDモジュールを簡単に作成することができる。
【０１１７】
照明装置１は、上述したように、２つの照明パネル１１の各々に対して、１００個程度の赤外線LED３１が組み込まれるため、小型の装置とすることができる。また、照明装置１は、個々の赤外線LED３１が、その光軸が照明パネル１１に対する法線６１となるように組み込まれるため、たくさんの赤外線LED３１を並べるための複雑な調整を必要としない。これにより、照明装置１は、簡単に、安価に作成することができる。
【０１１８】
図１７は、照明装置１を作成（構築）する作成装置１４１の構成の例を示すブロック図である。作成装置１４１は、赤外線LED組込部１５１−１、赤外線LED組込部１５１−２、および接合部１５２を含むように構成される。
【０１１９】
赤外線LED組込部１５１−１は、いわゆる電子部品装着機（例えば、ラジアル部品挿入機、マウンタなど）であり、例えば、赤外線LED３１を組み込むことが可能な１００個の穴の開いた照明パネル１１−１に、赤外線LED３１の照射（放射）する光の光軸が照明パネル１１−１の法線６１−１と一致するように、赤外線LED３１−１−１乃至３１−１０−１０を照明パネル１１−１に組み込む。
【０１２０】
赤外線LED組込部１５１−２は、いわゆる電子部品装着機（例えば、ラジアル部品挿入機、マウンタなど）であり、例えば、赤外線LED３１を組み込むことが可能な１００個の穴の開いた照明パネル１１−２に、赤外線LED３１の照射（放射）する光の光軸が照明パネル１１−２の法線６１−２と一致するように、赤外線LED３１−１−１乃至３１−１０−１０を照明パネル１１−２に組み込む。
【０１２１】
接合部１５２は、赤外線LED３１が組み込まれた照明パネル１１−１および照明パネル１１−２を、溶接するか、蝶番、または接着剤などにより、照明パネル１１−１および照明パネル１１−２の面が角度２１を成すように接合する。
【０１２２】
図１８のフローチャートを参照して、照明装置１の作成（構築）の処理を説明する。ステップＳ１において、赤外線LED組込部１５１−１は、赤外線LED３１が放射する光（赤外線）の光軸と照明パネル１１−１の表面に対する法線６１−１とが一致するように、赤外線LED３１−１−１乃至３１−１０−１０を１００個の穴の開いた照明パネル１１−１に組み込む。
【０１２３】
ステップＳ２において、赤外線LED組込部１５１−２は、赤外線LED３１が放射する光（赤外線）の光軸と照明パネル１１−２の表面に対する法線６１−２とが一致するように、赤外線LED３１−１−１乃至３１−１０−１０を１００個の穴の開いた照明パネル１１−２に組み込む。
【０１２４】
ステップＳ３において、接合部１５２は、照明パネル１１−１と照明パネル１１−２とを、照明パネル１１−１および照明パネル１１−２の赤外線LED３１が組み込まれた面が所定の角度２１となるように接合し、処理は終了する。このとき、接合部１５２は、ステップＳ３において、照明パネル１１−１および照明パネル１１−２を所定の治具に設置し、照明パネル１１−１および照明パネル１１−２の接合部分を接着剤や溶接を行うことにより、接合する。
【０１２５】
また、照明パネル１１−１および照明パネル１１−２における、接合部分に蝶番のようなヒンジを設け、接合部分を軸として、角度２１の大きさを自由に変えることができるように、回動自在に接合（形成）するようにしてもよい。なお、予め接合した照明パネル１１−１および照明パネル１１−２に赤外線LED３１を組み込むようにしてもよい。
【０１２６】
また、照明パネルを折り曲げることにより形成するか、赤外線LED３１が組み込まれる面が所望の角度になるように一体に形成し、これに、赤外線LED３１を組み込むようにしてもよい。
【０１２７】
このように、広い範囲を照明するようにした場合、照明されている範囲に侵入（進入）したものを検出する装置を作成することができる。複数の第１の光源が組み込まれている第１のパネルと、複数の第２の光源が組み込まれている第２のパネルとを含み、第１の光源は、照射する光の光軸と第１のパネルの表面に対する法線とが一致するように、第１のパネルに組み込まれ、第２の光源は、光の照射について、第１の光源の特性と同じ特性であり、照射する光の光軸と第２のパネルの表面に対する法線とが一致するように、第２のパネルに組み込まれ、第１のパネルおよび第２のパネルは、第１のパネルの表面に対する法線と第２のパネルの表面に対する法線とが、第１の光源および第２の光源の光軸における光度に対して１/２の光度となる放射角に応じた角度をなすように、接合されているようにした場合には、照明されている範囲に侵入（進入）したものを、より確実に検出する装置を作成することができる。
【０１２８】
本明細書において、ステップは、記載された順序に沿って時系列的に行われる処理はもちろん、必ずしも時系列的に処理されなくても、並列的あるいは個別に実行される処理を含むものである。
【０１２９】
また、照明パネル１１−１および照明パネル１１−２に組み込まれる赤外線LED３１の数は、当然に本発明を限定するものではない。さらに、照明装置１が照射する光は、赤外線に限定されない。すなわち、照明パネル１１に組み込まれるものは、赤外線LED３１には限定されない。
【図面の簡単な説明】
【０１３０】
【図１】本発明に係る照明装置の一実施の形態を示す斜視図である。
【図２】照明装置およびスクリーンの上面図である。
【図３】照明装置およびスクリーンの側面図である。
【図４】視角の計算方法を説明する図である。
【図５】２つの照明パネルの法線によって形成される角度が０度の場合における、スクリーンおよびスクリーンの周囲の光の強度を説明する図である。
【図６】２つの照明パネルの法線によって形成される角度が０度の場合における、スクリーンおよびスクリーンの周囲の光の強度の変化を表す図である。
【図７】２つの照明パネルの法線によって形成される角度が１０度の場合における、スクリーンおよびスクリーンの周囲の光の強度を説明する図である。
【図８】２つの照明パネルの法線によって形成される角度が１０度の場合における、スクリーンおよびスクリーンの周囲の光の強度の変化を表す図である。
【図９】２つの照明パネルの法線によって形成される角度が２０度の場合における、スクリーンおよびスクリーンの周囲の光の強度を説明する図である。
【図１０】２つの照明パネルの法線によって形成される角度が２０度の場合における、スクリーンおよびスクリーンの周囲の光の強度の変化を表す図である。
【図１１】２つの照明パネルの法線によって形成される角度が３０度の場合における、スクリーンおよびスクリーンの周囲の光の強度を説明する図である。
【図１２】２つの照明パネルの法線によって形成される角度が３０度の場合における、スクリーンおよびスクリーンの周囲の光の強度の変化を表す図である。
【図１３】２つの照明パネルの法線によって形成される角度が４０度の場合における、スクリーンおよびスクリーンの周囲の光の強度を説明する図である。
【図１４】２つの照明パネルの法線によって形成される角度が４０度の場合における、スクリーンおよびスクリーンの周囲の光の強度の変化を表す図である。
【図１５】２つの照明パネルの法線によって形成される角度とスクリーン上の光の強度の関係を説明する図である。
【図１６】２つの照明パネルの面によって形成される角度と、照明装置からスクリーンまでの距離との関係を説明する図である。
【図１７】照明装置を作成する作成装置の構成の例を説明するブロック図である。
【図１８】照明装置の作成の処理を説明するフローチャートである。
【符号の説明】
【０１３１】
１  照明装置，  １１並びに１１−１および１１−２  照明パネル，  ２１  角度,  ３１および３１−１−１０乃至３１−１０−１０  赤外線LED，  ５１  スクリーン,  ６２  角度,  １５１−１  赤外線LED組込部,  １５１−２  赤外線LED組込部,  １５２  接合部
【図１】
2006071918.tif 000003
【図２】
2006071918.tif 000004
【図３】
2006071918.tif 000005
【図４】
2006071918.tif 000006
【図５】
2006071918.tif 000007
【図６】
2006071918.tif 000008
【図７】
2006071918.tif 000009
【図８】
2006071918.tif 000010
【図９】
2006071918.tif 000011
【図１０】
2006071918.tif 000012
【図１１】
2006071918.tif 000013
【図１２】
2006071918.tif 000014
【図１３】
2006071918.tif 000015
【図１４】
2006071918.tif 000016
【図１５】
2006071918.tif 000017
【図１６】
2006071918.tif 000018
【図１７】
2006071918.tif 000019
【図１８】
2006071918.tif 000020